(57)【要約】【課題】  巻取り式命綱を支柱に取付けた屋根上安全装置において、屋根上から容易に設置及び撤去することができ、かつ、異なる屋根勾配の屋根棟部に設置できるようにする。【解決手段】  巻取り式命綱５が取付けられた支柱４の基部にベース金具２５を固定する。ベース金具２５にヒンジ金具２７を回動及び固定可能に結合し、ヒンジ金具２７に取付金具３０を結合する。屋根上から取付金具３０にボルト３５を挿通し、母屋２２に固定された溶接ナット３４に螺合して、支柱４を屋根棟部２０に固定する。屋根上からボルト３５を着脱することにより、容易に設置及び撤去することができるので、小屋裏部での設置及び撤去作業が不要となり、作業性が向上する。また、ヒンジ金具２７を回動させることにより、異なる屋根勾配の屋根棟部に設置することができる。【選択図】        図１
2005155184.tif 000002
【特許請求の範囲】
【請求項１】
巻取り式命綱が取付けられた支柱を屋根棟部に設置する屋根上安全装置であって、
前記支柱の基部にベース金具を固定し、該ベース金具に、一対のヒンジ金具を前記屋根棟部の屋根勾配に応じて回動可能に連結し、前記ヒンジ金具を前記屋根棟部の両側に配置された構造材に、屋根上から着脱可能な締結手段によって結合することを特徴とする屋根上安全装置。
【請求項２】
前記締結手段は、ねじ手段であることを特徴とする請求項１に記載の屋根上安全装置。
【請求項３】
前記ねじ手段は、前記構造材に固定されたナット及び該ナットに螺合するボルトを含むことを特徴とする請求項２に記載の屋根上安全装置。
【請求項４】
前記構造材は、母屋であることを特徴とする請求項１乃至３のいずれかに記載の屋根上安全装置。
【発明の詳細な説明】
【技術分野】
【０００１】
本発明は、低層住宅等の屋根上作業において、作業者の滑落を防止するための屋根上安全装置に関するものである。
【背景技術】
【０００２】
低層住宅の建築現場において、勾配を有する屋根上で、屋根パネルの取付け、防水シートの施工等の屋根上作業を行う場合、作業者の滑落を防止するため、屋根上安全装置が使用される。従来の屋根上安全装置の一例について、図７を参照して説明する。
【０００３】
図７に示すように、屋根上安全装置１は、切妻形の屋根２の屋根棟部３に立設された支柱４に、複数（図示の例では２つ）の巻取り式命綱５を支柱軸回りに回転可能に取付けたものである。巻取り式命綱５は、巻取りバネ及びロック機構を内蔵しており、命綱であるベルト６に巻取りバネによって常時巻取り力を付与して、通常は、ベルト６を自由に繰り出すことができるが、ベルト６に急激な引張力が作用した場合には、ロック機構が作動して、瞬時にベルト６の繰り出しを阻止する。そして、ベルト６の先端部に取付けられたカラビナ７を作業者８の安全帯９に結合して使用する。
【０００４】
この構成により、巻取り式命綱５の支柱軸回りの回転及びベルト６の繰り出しによって、作業者８は、自由に移動することができ、複数の作業者８が互いの移動を制約することなく、屋根上作業を行うことができる。また、作業者８の転倒等によってベルト６に急激な引張力が作用すると、ロック機構が瞬時にベルト６の繰り出しを阻止するので、作業者８の滑落を確実に防止することができる。
【０００５】
次に、上記従来の屋根上安全装置１の屋根棟部３への取付構造について、図８を参照して説明する。
図８は、鉄骨構造の小屋組を有する屋根２の屋根棟部３に、屋根上安全装置１の支柱４を取付けるための構造を示している。屋根２の小屋裏１０には、母屋１１を支持する鉄骨トラス１２が設けられている。取付金具１３、１４を有する鋼管１５を鉄骨トラス１２にねじ止めして、屋根棟部３から上方に突出させる。この鋼管１５に、支柱４を挿入し、固定することによって、屋根上安全装置１を屋根棟部３に設置することができる。なお、母屋１１に取付けられる屋根パネル１６の鋼管１５が当る部分には、鋸等によって逃げ部が設けられる。このように、構造材である鉄骨トラス１２に鋼管１５を固定することにより、屋根上安全装置１を充分な強度をもって強固に支持することができる。
【０００６】
このような屋根上安全装置の取付構造に関する先行技術は、例えば特許文献１に記載されている。
【特許文献１】特開２００１−２４８２７７号公報
【発明の開示】
【発明が解決しようとする課題】
【０００７】
しかしながら、上記従来の取付構造を有する屋根上安全装置１では、次のような問題がある。屋根上安全装置１を屋根棟部３に設置する際、及び、屋根上作業終了後、屋根上安全装置１を撤去する際、鋼管１５が小屋裏部１０で取付金具１３、１４によって鉄骨トラス１２にねじ止めされているので、設置及び撤去作業を小屋裏部１０で行う必要があり、作業スペースが制約されるため、作業性が悪い。特に、屋根パネル１６等を施工した後、屋根上安全装置１を撤去する場合には、足場及び照明設備が必要となり、問題となる。
【０００８】
また、屋根上安全装置には、例えば４寸、５寸、６寸といった異なる屋根勾配を有する屋根棟部に対しても設置可能な汎用性を有することも重要である。
【０００９】
本発明は、上記の点に鑑みてなされたものであり、容易に設置及び撤去することができ、かつ、異なる屋根勾配に対応可能な汎用性を有する屋根上安全装置を提供することを目的とする。
【課題を解決するための手段】
【００１０】
上記の課題を解決するために、請求項１に係る発明は、巻取り式命綱が取付けられた支柱を屋根棟部に設置する屋根上安全装置であって、
前記支柱の基部にベース金具を固定し、該ベース金具に、一対のヒンジ金具を前記屋根棟部の屋根勾配に応じて回動可能に連結し、前記ヒンジ金具を前記屋根棟部の両側に配置された構造材に、屋根上から着脱可能な締結手段によって結合することを特徴とする。
請求項２の発明に係る屋根上安全装置は、上記請求項１の構成において、前記締結手段は、ねじ手段であることを特徴とする。
請求項３の発明に係る屋根上安全装置は、上記請求項２の構成において、前記ねじ手段は、前記構造材に固定されたナット及び該ナットに螺合するボルトを含むことを特徴とする。
また、請求項４の発明に係る屋根上安全装置は、上記請求項１乃至３のいずれかの構成において、前記構造材は、母屋であることを特徴とする。
【発明の効果】
【００１１】
本発明の屋根上安全装置の取付構造によれば、屋根上から締結手段を着脱することによって、容易に設置及び撤去を行うことができるので、小屋裏部からの作業が不要であり、設置及び撤去の作業性を向上させることができる。また、ヒンジ金具の回動によって、異なる屋根勾配を有する屋根棟部に設置することが可能となり、汎用性を高めることができる。
【発明を実施するための最良の形態】
【００１２】
以下、本発明の一実施形態を図面に基づいて詳細に説明する。なお、図７に示すものに対して、同様の部分には同一の符号を付して、異なる部分についてのみ詳細に説明する。
図１乃至図３に示すように、本実施形態に係る屋根上安全装置１８は、鉄骨構造の小屋組を有する屋根１９の屋根棟部２０に設置するものである。
屋根１９は、図３に示すように、２つのＣ型鋼２１の背面を互いに結合して構成した母屋２２（構造材）を有している。複数の母屋２２の間には、垂木２３が架渡され、垂木２３に屋根パネル２４が取付けられる。
【００１３】
屋根上安全装置１８は、図７に示すものと同様、支柱４の先端部に、巻取り式命綱５が支柱回りに回転可能に取付けられている。支柱４の基部には、屋根棟部２０を跨ぐ略コ形のベース金具２５が固定されている。ベース金具２５は、Ｃ型断面を有する鋼材を略コ字形に形成したものである。ベース金具２５の屋根棟部２０を跨ぐ一対の脚部２６には、それぞれ、Ｃ型断面を有する鋼材からなるヒンジ金具２７の端部がボルト２８及びナット２９によって回動及び固定可能に取付けられている。ヒンジ金具２７の背部には、矩形断面を有する鋼材からなる取付金具３０の上面部がボルト３１及びナット３２によって取付けられている。
【００１４】
屋根棟部３をはさんで両側に配置された母屋２２を構成する２つのＣ型鋼２１の上面部には、屋根棟部３の付近にボルト孔３３が貫通されており、その背面に溶接ナット３４（ナット、ねじ手段、締結手段）が固定されている。そして、取付金具３０の下面部は、その上方（屋根上）から挿通したボルト３５（ねじ手段、締結手段）をＣ型鋼２１のボルト孔３３に挿通させ、溶接ナット３４に螺合することによって、母屋２２に固定される。屋根パネル２４には、取付金具３０を逃げるための切欠３６が設けられている。
【００１５】
以上のように構成した本実施形態の作用について、次に説明する。
屋根上安全装置１８の屋根棟部３への設置及び撤去手順について、図４を参照して説明する。
図４に示すように、母屋２２を構成する２つのＣ型鋼２１の所定部位に、予めボルト孔３３を設け、溶接ナット３４を取付けておき、また、屋根パネル２４には、予め切欠３６を設けておく。
【００１６】
ベース金具２５、ヒンジ金具２７及び取付金具３０をボルト２８、３１及びナット２９、３２によって、互いに連結する。このとき、各ボルト２８、３１は、仮締めとして、連結部を多少動かせるようにしておく。そして、ヒンジ金具２７を屋根勾配に応じて回動させて、取付金具３０の位置を調整し、上方からボルト３５を挿通し、溶接ナット３４に螺合させた後、ボルト２８、３１、３５を本締めして、各連結部を固定する。このようにして、屋根上安全装置１８を屋根棟部３に設置することができる。
【００１７】
屋根上作業の終了後、屋根上安全装置１８を撤去する際には、施工された屋根パネル２４の切欠３６を通して、屋根上からボルト３５を取外し、上記手順の逆の手順によって撤去を行うことができる。なお、屋根上安全装置１８を撤去した後、屋根パネル２４に設けられている切欠３６は、防水シート等によって覆われるので、別途、塞ぐ必要はなく、雨漏り等の心配もない。
【００１８】
このように、屋根上安全装置１８の設置及び撤去は、屋根上からのボルト３５の着脱によって容易に行うことができ、小屋裏部での作業を必要としないので、設置及び撤去作業性を大幅に改善することができる。また、図５に示すように、ヒンジ金具２７を回動させることによって、屋根勾配に応じて取付金具３０の角度を調整することができるので、異なる屋根勾配の屋根棟部２０にも設置することが可能であり、汎用性を高めることができる。
【００１９】
上記実施形態の変形例として、図６に示すように、取付金具３０を省略して、ヒンジ金具２７をボルト３５によって直接母屋２２に結合するようすることもできる。また、高さの異なる複数のヒンジ金具２７及び取付金具３０を用意しておき、屋根勾配等に応じて、こられを適宜組み合わせることによって、設置可能な屋根棟部２０の適用範囲を広げて、汎用性を高めるようにしてもよい。
【００２０】
なお、上記実施形態においては、取付金具３０は、溶接ナット３４及びボルト３５を用いて母屋２２に結合しているが、このほか、屋根上から着脱可能な締結手段を用いて結合することもでき、また、母屋２２以外の構造材に結合すること可能である。
【図面の簡単な説明】
【００２１】
【図１】本発明の一実施形態に係る屋根上安全装置を屋根棟部に設置した状態を示す正面図である。
【図２】図１の要部の拡大図である。
【図３】図２のＡ−Ａ線による縦断面図である。
【図４】図１に示す屋根上安全装置の屋根棟部への取付構造を示す要部の分解図である。
【図５】図１に示す屋根上安全装置を異なる屋根勾配を有する屋根棟部に設置した状態を示す要部の拡大図である。
【図６】図１に示す屋根上安全装置を異なる屋根勾配を有する屋根棟部に設置した状態の要部を拡大して示す図である。
【図７】屋根棟部に設置された屋根上安全装置の巻取り式命綱のベルトを作業者に連結した状態を示す概略斜視図である。
【図８】従来の屋根上安全装置の屋根棟部への取付構造を示す概略図である。
【符号の説明】
【００２２】
４  支柱、５  巻取り式命綱、１８  屋根上安全装置、２０  屋根棟部、２５  ベース金具、ヒンジ金具、母屋２２（構造材）、３４  溶接ナット（ナット、ねじ手段、締結手段）、３５  ボルト（ねじ手段、締結手段）
【図１】
2005155184.tif 000003
【図２】
2005155184.tif 000004
【図３】
2005155184.tif 000005
【図４】
2005155184.tif 000006
【図５】
2005155184.tif 000007
【図６】
2005155184.tif 000008
【図７】
2005155184.tif 000009
【図８】
2005155184.tif 000010